(57)【要約】【課題】任意の原稿画像情報を指定先の外部機器等へ転送する場合に、原稿の読み取り処理から相手方への転送処理に至る一連の処理が正常に終了したか否かを紙面上で確認できるようにすると共に、予約ＪＯＢ確認に係る手間を大幅に省略できるようにする。【解決手段】原稿画像データＤ１の転送予約を含み入力操作される操作手段１４と、この手段１４により転送予約された原稿を読み取って原稿画像データＤ１を取得する原稿読取手段１１と、この手段１１により取得された原稿画像データＤ１を転送する転送手段１２と、原稿画像データＤ１に係る画像を形成する画像形成手段１８と、操作情報Ｄ４に基づいて原稿読取手段１１、転送手段１２及び画像形成手段１８の入出力を制御する制御装置１５とを備え、この制御装置１５は原稿画像データＤ１を転送した後に当該データＤ１を正常転送した旨を示す情報内容を紙に形成し出力するように制御するものである。【選択図】　　　　図１
2004040228.tif 000002
【特許請求の範囲】
【請求項１】
任意の原稿を読み取って指定先へ所定のファイル伝送プロトコルに基づく転送方法を利用して転送する原稿画像情報に関連した画像を形成する装置であって、
少なくとも、前記原稿に係る画像情報の転送予約を含み入力操作される操作手段と、
前記操作手段により転送予約された前記原稿を読み取って原稿画像情報を取得する原稿読取手段と、
前記原稿読取手段により取得された原稿画像情報を転送する転送手段と、
前記原稿画像情報に係る画像を形成する画像形成手段と、
前記操作手段による操作情報に基づいて原稿読取手段、転送手段及び画像形成手段の入出力を制御する制御装置とを備え、
前記制御装置は、
前記原稿画像情報を転送した後に当該原稿画像情報を正常転送した旨を示す情報内容を紙に形成し出力するように前記画像形成手段を制御することを特徴とする画像形成装置。
【請求項２】
前記ファイル伝送プロトコルには少なくとも、ＦＴＰ、ＴＦＴＰ及びＥ−Ｍａｉｌを含むことを特徴とする請求項１に記載の画像形成装置。
【請求項３】
前記原稿画像情報を正常転送した旨を示す情報内容を紙に形成し出力するか否かを選択する選択手段が備えられることを特徴とする請求項１に記載の画像形成装置。
【請求項４】
前記情報内容には、
前記原稿画像情報を正常転送した旨の他に、
前記転送予約された原稿の読み取り処理から相手方への転送処理に至る一連の処理が正常終了したか否か、及び、当該一連の処理が異常終了した場合はその原因の記述が含まれることを特徴とする請求項１に記載の画像形成装置。
【請求項５】
前記情報内容には、
前記相手方を示す転送先アドレスが含まれることを特徴とする請求項１に記載の画像形成装置。
【請求項６】
前記操作情報に基づいてＪＯＢ履歴情報を表示する表示手段を備え、
前記表示手段に表示されるＪＯＢ履歴情報には前記相手方を示す転送先アドレスが表示されることを特徴とする請求項１に記載の画像形成装置。
【請求項７】
任意の原稿を読み取って指定先へ所定のファイル伝送プロトコルに基づく転送方法を利用して転送する原稿画像情報に関連した情報を処理する方法であって、
前記原稿に係る画像情報の転送予約を受け付け、
受け付けされた転送予約に係る前記原稿を読み取って原稿画像情報を取得し、
取得された前記原稿画像情報を転送し、
前記原稿画像情報を転送した後、当該原稿画像情報を正常転送した旨を示す情報内容を紙に形成し出力することを特徴とする情報処理方法。
【請求項８】
前記ファイル伝送プロトコルには少なくとも、ＦＴＰ、ＴＦＴＰ及びＥ−Ｍａｉｌを含むことを特徴とする請求項７に記載の画像形成方法。
【請求項９】
前記原稿画像情報を正常転送した旨を示す情報内容を紙に形成し出力するか否かを予め選択することを特徴とする請求項７に記載の情報処理方法。
【請求項１０】
前記情報内容には、
前記原稿画像情報を正常転送した旨の他に、
前記転送予約された原稿の読み取り処理から相手方への転送処理に至る一連の処理が正常終了したか否か、及び、当該一連の処理が異常終了した場合はその原因の記述が含まれることを特徴とする請求項７に記載の情報処理方法。
【請求項１１】
前記情報内容には、
前記相手方を示す転送先アドレスが含まれることを特徴とする請求項７に記載の情報処理方法。
【請求項１２】
前記原稿に係る画像情報の転送予約に基づいてＪＯＢ履歴情報を表示し、
表示される前記ＪＯＢ履歴情報に前記相手方を示す転送先アドレスを表示することを特徴とする請求項７に記載の情報処理方法。
【発明の詳細な説明】
【０００１】
【発明の属する技術分野】
この発明は複写機能、スキャナ機能及びプリンタ機能を備えた白黒及びカラー用のディジタル複合機に適用して好適な画像形成装置及び情報処理方法に関するものである。
【０００２】
【従来の技術】
近年、原稿画像から取得した画像データに基づいて画像形成を行うデジタル複写機が使用されるに至っている。複写機では原稿の画像情報がスキャナ等により読み込まれ、その原稿の画像情報が一旦、画像メモリに蓄えられる。そして、その画像メモリに蓄えられた画像情報はユーザの要求に応じて画像の縮小、拡大及び回転などの画像処理が施される。ここで画像処理された画像データに基づく画像が画像形成手段（プリンタ）によって所定の転写紙に形成される。この結果、原稿画像を複写（コピー）することができる。
【０００３】
また、上述のスキャナ機能を実装したディジタル複合機も使用されている。この種の複合機ではスキャナにより読み取った原稿の画像情報をファイル転送プロトコルに基づき、インターネット等の通信線を用いて指定先の外部機器へ転送するようになされる。このスキャナ機能を備えた複合機はコピアのプリンタ機能と同様に、複数ＪＯＢの予約受け付けが可能となっており、予約したＪＯＢが正常に送信されたか否かを例えば、操作パネル上の表示部等により確認できるようになされている。
【０００４】
【発明が解決しようとする課題】
しかしながら、従来方式の複数ＪＯＢが予約できるディジタル複合機によれば、以下のような問題がある。
【０００５】
▲１▼　通常の複写機能を使用する場合、つまり、コピア／プリンタＪＯＢにおいては、ＪＯＢの終了をプリントアウトされた成果物で判断することができる。しかし、任意の原稿を走査して原稿画像データを取得し、当該原稿画像データを予約先の相手方へインターネット等を通じて転送するスキャナＪＯＢにおいては、プリントアウト成果物の代用となるものが見あたらない。
【０００６】
▲２▼　従来方式ではスキャナＪＯＢが終了したかどうかをコピア／プリンタＪＯＢのような感覚で直接判断することができないことから、複合機１０の前でスキャナＪＯＢの終了を待っていなくてはならない。
【０００７】
▲３▼　しかも、原稿画像データのアップロード時の操作部の表示、例えば、「アップロードしています」等のメッセージを見逃した場合は、特別の操作をしない限り、従来方式ではスキャナＪＯＢが正常に終了したかどうかを確認することができない。因みに、このメッセージを見逃した場合は、ＪＯＢ履歴情報を表示画面上に引き出して確認する方法がある。この場合には、表示ＪＯＢ数に限度が有り、送信先の確認に手間及び時間がかかる。
【０００８】
▲４▼　このＪＯＢ履歴情報の表示確認の他に、送信先に問い合わせて原稿画像データが格納されているかを確認する方法があるが、通信回線をいたずらに占有し回線接続処理が複雑になる。
【０００９】
そこで、この発明は上述した課題を解決したものであって、任意の原稿画像情報を指定先の外部機器等へ転送する場合に、原稿の読み取り処理から相手方への転送処理に至る一連の処理が正常に終了したか否かを紙面上で確認できるようにすると共に、予約ＪＯＢ確認に係る手間を大幅に省略できるようにした画像形成装置及び情報処理方法を提供することを目的とする。
【００１０】
【課題を解決するための手段】
上記課題を解決するために、本発明に係る画像形成装置は、任意の原稿を読み取って指定先へ所定のファイル伝送プロトコルに基づく転送方法を利用して転送する原稿画像情報に関連した画像を形成する装置であって、少なくとも、原稿に係る画像情報の転送予約を含み入力操作される操作手段と、この操作手段により転送予約された原稿を読み取って原稿画像情報を取得する原稿読取手段と、この原稿読取手段により取得された原稿画像情報を転送する転送手段と、原稿画像情報に係る画像を形成する画像形成手段と、操作手段による操作情報に基づいて原稿読取手段、転送手段及び画像形成手段の入出力を制御する制御装置とを備え、この制御装置は原稿画像情報を転送した後に当該原稿画像情報を正常転送した旨を示す情報内容を紙に形成し出力するように画像形成手段を制御することを特徴とするものである。
【００１１】
本発明に係る画像形成装置によれば、任意の原稿を読み取って、例えば、指定先へＦＴＰ／ｅ−ｍａｉｌといった転送方法を利用して転送する原稿画像情報に関連した画像を形成する場合に、少なくとも、操作手段では原稿に係る画像情報の転送予約を含み操作される。原稿読取手段では、操作手段により予約された原稿を読み取って原稿画像情報を取得するようになされる。転送手段では原稿読取手段により取得された原稿画像情報を相手方へ転送するようになされる。画像形成手段では、原稿画像情報に係る画像を形成するようになされる。制御装置では操作手段による操作情報に基づいてこれらの原稿読取手段、転送手段及び画像形成手段の入出力を制御する。
【００１２】
これを前提にして、制御装置では原稿画像情報を転送した後に当該原稿画像情報を正常転送した旨を示す情報内容を紙に形成し出力するように画像形成手段を制御するようになされる。従って、転送予約した原稿の読み取り処理から相手方への転送処理に至る一連の処理（以下で予約ＪＯＢという）が正常に終了したか否かを紙面上で確認することができる。これにより、これらの予約ＪＯＢを終了したか否かをリアルタイムに操作画面上でその終了を待って確認したり、ＪＯＢ履歴等を操作画面上にわざわざ引き出して表示しそれを見直すといった処理が不要になる。従って、ＪＯＢ終了確認に係る手間を大幅に省くことができる。
【００１３】
本発明に係る情報処理方法は任意の原稿を読み取って指定先へ所定のファイル伝送プロトコルに基づく転送方法を利用して転送する原稿画像情報に関連した情報を処理する方法であって、原稿に係る画像情報の転送予約を受け付け、ここで受け付けされた転送予約に係る原稿を読み取って原稿画像情報を取得し、ここで取得された原稿画像情報を転送し、この原稿画像情報を転送した後、当該原稿画像情報を正常転送した旨を示す情報内容を紙に形成し出力することを特徴とするものである。
【００１４】
本発明に係る情報処理方法によれば、任意の原稿を読み取って、例えば、指定先へＦＴＰ／ｅ−ｍａｉｌといった転送方法を利用して転送する原稿画像情報に関連した情報を処理する際に、予約ＪＯＢが終了したか否かを紙面上で確認することができる。
【００１５】
従って、これらの予約ＪＯＢを終了したか否かをリアルタイムに操作画面上でその終了を待って確認したり、予約ＪＯＢ履歴等を操作画面上にわざわざ引き出して表示しそれを見直すといった処理が不要になる。これにより、予約ＪＯＢ確認に係る手間を大幅に省くことができる。
【００１６】
【発明の実施の形態】
以下、図面を参照しながら、この発明の実施形態に係る画像形成装置及び情報処理方法について説明をする。
（１）実施形態
図１は、本発明の実施形態としての画像形成装置１００の構成例を示すブロック図である。
この実施形態では任意の原稿を読み取って指定先へＦＴＰ／ｅ−ｍａｉｌといった転送方法等を利用して転送する原稿画像情報に関連した画像を形成する場合に、操作情報に基づいて原稿読取手段、転送手段及び画像形成手段の入出力を制御する制御装置を備え、原稿画像情報を転送した後に当該原稿画像情報を正常転送した旨を示す情報内容を紙に形成し出力するようにして、転送予約した原稿の読み取り処理から相手方への転送処理に至る一連の処理が終了したか否かを紙面上で確認できるようにすると共に、ＪＯＢ終了確認に係る手間を大幅に省略できるようにしたものである。
【００１７】
図１に示す画像形成装置１００は指定先へ所定のファイル伝送プロトコルに基づく転送方法を利用して転送する任意の原稿に係る画像情報（以下で原稿画像情報Ｄ１ともいう）に関して画像を形成する装置である。ファイル伝送プロトコルに基づく転送方法としては、いわゆるファクシミリ伝送に見られないＦＴＰ（Ｆｉｌｅ　Ｔｒａｎｓｆｅｒ　Ｐｒｏｔｏｃｏｌ）、ＴＦＴＰ（Ｔｒｉｖｉａｌ　Ｆｉｌｅ　Ｔｒａｎｓｆｅｒ　Ｐｒｏｔｏｃｏｌ）、Ｅ−Ｍａｉｌといった形態を想定している。この画像形成装置１００は複写機能、スキャナ機能及びプリンタ機能を備えたディジタル複合機に適用して極めて好適である。
【００１８】
この画像形成装置１００は少なくとも、原稿読取手段１１、転送手段１２、選択手段１３、操作手段１４、制御装置１５、表示手段１６、記憶手段１７及び画像形成手段１８を有している。操作手段１４は指定先へＦＴＰ／ｅ−ｍａｉｌといった転送方法を利用して転送する原稿画像情報Ｄ１の転送予約を含み入力操作される。操作手段１４は制御装置１５に接続される。制御装置１５には原稿読取手段１１が接続されており、操作手段１４により転送予約された原稿を読み取って原稿画像情報Ｄ１を取得するようになされる。原稿読取手段１１には白黒用又はカラー用のスキャナを使用することを前提とする。
【００１９】
この制御装置１５には更に転送手段１２が接続されており、原稿読取手段１１により取得された原稿画像情報Ｄ１を相手方の端末装置等へ転送するようになされる。転送手段１２は画像メモリ、通信制御装置等を使用して構成される。制御装置１５には更に画像形成手段１８が接続されており、原稿画像情報Ｄ１に係る画像を画像形成データＤ６に基づいて形成するようになされる。画像形成データＤ６は原稿画像情報Ｄ１をプリント用のデータに変換したものである。
【００２０】
画像形成手段１８では例えば、「当該原稿画像情報Ｄ１を正常転送した旨」を示す情報内容を紙に形成するようになされる。この情報内容には原稿画像情報Ｄ１を正常転送した旨の他に、転送予約した原稿の読み取り処理から相手方への転送処理に至る一連の処理が正常終了したか否か、及び、当該一連の処理が異常終了した場合はその原因の記述が含まれる。画像形成手段１８には白黒用又はカラー用のプリンタを使用することを前提とする。
【００２１】
制御装置１５では操作手段１４により入力された操作情報Ｄ４に基づいて原稿読取手段１１、転送手段１２、表示手段１６、記憶手段１７及び画像形成手段１８の入出力を制御する。例えば、制御装置１５はスキャナＪＯＢを実行する。スキャナＪＯＢとは任意の原稿を走査して原稿画像情報Ｄ１を取得し、転送予約先の相手方へ当該原稿画像情報Ｄ１を転送する処理をいう。
【００２２】
この例で制御装置１５には選択手段１３が接続され、「原稿画像情報Ｄ１を正常転送した旨」を示す情報内容を紙に形成し出力するか否かを予め選択するようになされる。選択手段１３はユーザによって操作される。スキャナＪＯＢを受け付ける際に、選択手段１３を使用して操作画面上で紙出力機能を選択し又はこの機能を選択しないように設定することができる。
【００２３】
この例で選択手段１３が操作されると、制御装置１５には紙出力選択情報Ｄ３が出力される。紙出力選択情報Ｄ３は「原稿画像情報Ｄ１を正常転送した旨」を示す情報内容を紙に形成し出力する、又は、当該原稿画像情報Ｄ１の転送に関して紙形成出力をしないという内容である。紙出力選択情報Ｄ３は記憶手段１７等に保持される。
【００２４】
制御装置１５では原稿画像情報Ｄ１を転送した後に、記憶手段１７に保持されている紙出力選択情報Ｄ３に基づいて「当該原稿画像情報Ｄ１を正常転送した旨」を示す情報内容を紙に形成し出力するように画像形成手段１８が制御される。このようにすると、制御装置１５では「予約受け付け時」のみに「原稿画像情報Ｄ１を正常転送した旨」を示す情報内容の紙形成出力を実行することができる。スキャナＪＯＢが非予約状態で受け付けられた場合は、このような情報内容の紙形成出力を実施しないようにできる。
【００２５】
この情報内容には「原稿画像情報Ｄ１を正常転送した旨」の他に、転送予約した原稿の読み取り処理から相手方への転送処理に至る一連の処理が正常終了したか否か、及び、当該一連の処理が異常終了した場合はその原因の記述が含まれる。また、情報内容に相手方を示す転送先アドレスを含めてもよい。
【００２６】
上述の制御装置１５には表示手段１６が接続されており、操作手段１４で入力される操作情報Ｄ４に基づいてＪＯＢ履歴情報Ｄ２を表示するようになされる。表示手段１６には液晶表示装置が使用される。上述の操作手段１４、選択手段１３及び表示手段１６を一体化してユーザズインタフェース表示装置（操作パネル）を構成するようにしてもよい。
【００２７】
この表示手段１６に表示されるＪＯＢ履歴情報Ｄ２には相手方を示す転送先アドレスが表示される。このようにすると、転送予約した原稿の読み取り処理から相手方への転送処理に至る一連の処理が正常終了した場合に、転送予約した相手方の転送先アドレスを表示手段１６上で確認することができる。
【００２８】
記憶手段１７には原稿読取手段１１から出力される原稿画像情報Ｄ１や、選択手段１３から出力される紙出力選択情報Ｄ３、操作手段１４から出力される操作情報Ｄ４等が記憶される。記憶手段１７には不揮発性のメモリ、例えば、ハードディスク（ＨＤＤ）、記憶保持動作付きのＲＡＭ等が使用される。
【００２９】
続いて、本発明に係る情報処理方法について当該画像形成装置１００の処理例について説明をする。図２は画像形成装置１００における処理例を示すフローチャートである。
【００３０】
この実施形態では任意の原稿を読み取って指定先へＦＴＰ／ｅ−ｍａｉｌといった転送方法を利用して転送する原稿画像情報Ｄ１に関連した情報を処理する場合を前提とする。また、原稿画像情報Ｄ１を正常転送した旨を示す情報内容を紙に形成し出力するか否かを予め選択する場合を例に採る。この情報内容には相手方を示す転送先アドレスが含まれる。
【００３１】
これら処理条件にして図２に示すフローチャートのステップＡ１で指定先へＦＴＰ／ｅ−ｍａｉｌといった転送方法を利用して転送するための原稿画像情報Ｄ１の転送予約が待機される。この原稿画像情報Ｄ１の転送予約を受け付ける場合はステップＡ２に移行する。ステップＡ２では転送条件等が設定される。このとき、ユーザは操作手段１４を使用して当該原稿画像情報Ｄ１の転送条件等が設定される。ここで設定される転送条件等は操作情報Ｄ４となる。制御装置１５では操作手段１４による操作情報Ｄ４に基づいて原稿読取手段１１、転送手段１２及び画像形成手段１８の入出力を制御するようになされる。
【００３２】
そして、ステップＡ３に移行して制御装置１５では正常転送情報内容の紙出力が選択されたかをチェックされる。このとき、ユーザは選択手段１３を使用して「原稿画像情報Ｄ１を正常転送した旨」を示す情報内容の紙出力を要求する場合は、当該情報内容の紙出力を選択する。この紙出力が選択されない場合はステップＡ５に移行する。
【００３３】
この紙出力が選択された場合はステップＡ４に移行して紙出力選択情報Ｄ３を例えば、不揮発性のメモリ等の記憶手段１７に保持する。電源が切られてもその内容を保持し、その原稿画像情報Ｄ１の転送後に紙出力選択情報Ｄ３に基づく画像形成制御をするためである。紙出力選択情報Ｄ３は例えば、予め紙出力選択フラグＦＧ等として管理するものとすれば、ＦＧ＝「１」で当該情報内容を紙出力する、また、ＦＧ＝「０」で当該情報内容を紙出力しない等を判別できるようになる。
【００３４】
そして、ステップＡ５に移行する。ステップＡ５では先に受け付けられた転送予約に係る原稿を読み取る。このとき、原稿読取手段１１では操作手段１４により予約された原稿を読み取って原稿画像情報Ｄ１を取得するようになされる。原稿画像情報Ｄ１は記憶手段１７に一時記録される。その後、ステップＡ６に移行する。
【００３５】
このステップＡ６では他の処理が有るかをチェックされる。この際のチェックでは制御装置１５によってＪＯＢ管理リスト等が参照される。割り込みに係るコピー処理等が有る場合には、ステップＡ７に移行して予約に係る原稿転送に優先してそのコピー処理を実行する。その後、ステップＡ８に移行する。
【００３６】
このステップＡ８では先に取得された原稿画像情報Ｄ１を指定先へ所定のファイル伝送プロトコルに基づいて転送する。現在ではＦＴＰ／ｅ−ｍａｉｌといった転送方法を利用するが、これに限定されることはなく、今後導入される転送方法を利用してもよい。この転送手段１２では記憶手段１７から原稿画像情報Ｄ１を読み出して相手方へ転送するようになされる。この原稿画像情報Ｄ１の転送に関しては、実際に通信回線を通じて相手方へ原稿画像情報Ｄ１を転送する場合と、相手方から当該原稿画像情報Ｄ１をいつでもダウンロード可能な状態になされる場合、すなわち、転送手段１２内の画像メモリにアップロードを完了した時点を以て相手方へ原稿画像情報Ｄ１を転送したとする場合を想定している。
【００３７】
この例で原稿画像情報Ｄ１を転送した後、ステップＡ９に移行する。ステップＡ９では「当該原稿画像情報Ｄ１を正常転送した旨」を示す情報内容を紙出力するかがチェックされる。この際のチェックでは記憶手段１７から紙出力選択情報Ｄ３が読み出され、その基準値と比較処理等することにより判別される。紙出力選択情報Ｄ３に関して紙出力選択フラグがＦＧ＝「１」の場合は、当該情報内容を紙出力すると判別され、また、紙出力選択フラグがＦＧ＝「０」の場合は当該情報内容を紙出力しないと判別される。
【００３８】
従って、紙出力選択情報Ｄ３の内容に基づいて当該情報内容を紙出力する場合はステップＡ１０に移行する。ステップＡ１０では当該原稿画像情報Ｄ１を正常転送した旨を示す情報内容を紙に形成し出力する。このとき、画像形成手段１８では「当該原稿画像情報Ｄ１を正常転送した旨」を示す情報内容を紙に形成するようになされる。この情報内容には原稿画像情報Ｄ１を正常転送した旨の他に、転送予約した原稿の読み取り処理から相手方への転送処理に至る一連の処理が正常終了したか否か、及び、当該一連の処理が異常終了した場合はその原因の記述が含まれる。
【００３９】
また、ステップＡ９で当該情報内容を紙出力しない場合は、当該情報内容を紙出力することなく、ステップＡ１１に移行する。ステップＡ１１では制御装置１５によって終了判断がなされる。このとき、制御装置１５では電源オフ情報や、スタンバイ情報等を検出して当該スキャナＪＯＢを終了する。これらの電源オフ情報や、スタンバイ情報等を検出されない場合はステップＡ１に戻って上述した処理を繰り返すようになされる。
【００４０】
このように、本発明に係る実施形態としての画像形成装置１００及び情報処理方法によれば、任意の原稿を読み取って指定先へＦＴＰ／ｅ−ｍａｉｌといった転送方法を利用して転送する原稿画像情報Ｄ１に関連した画像を形成する場合に、制御装置１５では正常転送情報内容の紙出力の選択有無がチェックされる。そして、制御装置１５では原稿画像情報Ｄ１を転送した後に、紙出力選択情報Ｄ３に基づいて「当該原稿画像情報Ｄ１を正常転送した旨」を示す情報内容を紙に形成し出力するように画像形成手段１８を制御するようになされる。
【００４１】
従って、転送予約した原稿の読み取り処理から相手方への転送処理に至る一連の処理（以下で予約ＪＯＢという）が正常に終了したか否かを紙面上で確認することができる。これにより、これらの予約ＪＯＢを終了したか否かをリアルタイムに操作画面上でその終了を待って確認したり、ＪＯＢ履歴等を操作画面上にわざわざ引き出して表示しそれを見直すといった処理が不要になる。従って、予約ＪＯＢ確認に係る手間を大幅に省くことができる。
【００４２】
（２）実施例
図３は本発明に係る実施例としてのディジタル複合機２００の機能例を説明する概念図である。
図３に示すディジタル複合機（コピア）２００は、コピア／スキャナ／プリンタの各機能により複数ＪＯＢの同時予約が可能な装置であり、実施形態で説明した画像形成装置１００が応用されるものである。つまり、この複合機２００では、少なくとも、原稿を読み取って記録紙に画像を形成するコピー機能、原稿を読み取って指定先へＦＴＰ／ｅ−ｍａｉｌといった転送方法を利用して原稿画像を送信するスキャナ機能、及び、パーソナルコンピユータ（以下パソコンという）１０２から受信した画像データに基づいて記録紙に画像を形成するプリント機能の３つを有している。
【００４３】
この例で、スキャナ機能に関しては、ローカルエリアネットワーク（Ｌｏｃａｌ　Ａｒｉａ　Ｎｅｔｗｏｒｋ：ＬＡＮ）やインターネット等を使用して原稿画像情報を相手方へデータ送信するネットワークスキャナ機能が含まれている。相手方の端末装置１０１に関してはＦＴＰサーバやｅ−ｍａｉｌサーバ等が準備されることが望ましい。
【００４４】
当該複合機２００では、ネットワークスキャナ機能に関して複数のスキャナＪＯＢ予約を受け付けるようになされる。この受け付けは、複数のユーザが１台のディジタル複合機２００に対してスキャナＪＯＢを予約し、当該複合機２００では転送予約された各々の原稿を順次読み取って相手方へデータ送信をするためである。各々のユーザではネットワークスキャナが本当に機能して予約した原稿の画像情報が指定先へＦＴＰ／ｅ−ｍａｉｌといった転送方法を利用して送信されたかを確認する手段が必要となされる。
【００４５】
この複合機２００では外部への原稿画像情報の転送が完了した時点で、スキャナＪＯＢに関して「当該原稿画像情報を正常転送した旨」を示すスキャナＪＯＢ内容を自動生成してプリントアウトを実行する（紙に形成し出力する）ようになされる。このスキャナＪＯＢにおいては、原稿内容そのもののプリントアウトは不要であるが、コピア／プリント感覚での「ＪＯＢ終了」をユーザに実感させることができる。
【００４６】
図４はディジタル複合機２００の制御系の構成例を示すブロック図である。図４に示す複合機２００は指定先へＦＴＰ／ｅ−ｍａｉｌといった転送方法を利用して転送する任意の原稿に係る画像情報（以下で原稿画像データＤ１ともいう）に関してスキャナＪＯＢの情報内容をプリントアウトする機能を備えた装置であり、デジタルコピア本体１１０及びプリント＆スキャナコントローラ（画像処理手段）１２０を有している。
【００４７】
デジタルコピア本体１１０はスキャナ部１１’、操作部１４０、制御装置１５及びプリンタ部１８０を有している。この制御装置１５には原稿読取手段１１の一例となる白黒又はカラー用のスキャナ部１１’が接続されている。スキャナ部１１’は固体撮像装置（以下単にＣＣＤという）２１及びスキャナ制御部２２を有している。スキャナ制御部２２は制御装置１５からの原稿読み取り命令に基づいてＣＣＤ２１の入出力を制御する。ＣＣＤ２１では操作部１４０により転送予約された原稿を読み取って画像取得信号Ｓｉｎを出力するようになされる。
【００４８】
制御装置１５は読み取り処理部２３、データ圧縮用のＩＣ（以下単に圧縮ＩＣという）２４、画像制御用のＣＰＵ２５、不揮発メモリ２７、ＤＲＡＭ制御用のＩＣ３２Ａ、画像メモリ３３、ハードディスク（以下ＨＤＤという）６２、データ伸長用のＩＣ６３、書込み処理部６４を有している。画像メモリ３３には圧縮メモリ３１及びページメモリ３４が含まれている。
【００４９】
上述のＣＣＤ２１には読み取り処理部２３が接続されており、ＣＣＤ２１からの画像取得信号Ｓｉｎを入力して、アナログ・ディジタル変換等の画像処理をして原稿画像データＤ１を圧縮ＩＣ２４に出力するようになされる。圧縮ＩＣ２４では原稿画像データＤ１を符号化して圧縮したり、ファイル送信する際の原稿送信データを符号化して圧縮するようになされる。
【００５０】
圧縮ＩＣ２４にはＤＲＡＭ制御用のＩＣ３２Ａが接続され、このＩＣ３２Ａには更に画像制御用のＣＰＵ２５、不揮発メモリ２７、ＰＣＩバス２８、画像メモリ３３、ＨＤＤ６２及びデータ伸長用のＩＣ（以下単に伸長ＩＣという）６３が接続されている。上述の圧縮後のデータはＣＰＵ２５のメモリ書込み制御を受けて一旦、画像メモリ３３の圧縮メモリ３１に格納される。画像メモリ３３は原稿を読み取って得た画像送信データなどを記憶するために使用される。
【００５１】
このＣＰＵ２５には操作手段の一例となる操作部１４０が接続されている。操作部１４０は表示手段の一例となる液晶表示装置（以下でＬＣＤ１６’という）及び操作制御部２６を有している。操作部１４０では指定先へＦＴＰ／ｅ−ｍａｉｌといった転送方法を利用して転送する原稿画像データＤ１の転送予約を含み入力操作される。操作制御部２６は画像制御用のＣＰＵ２５とシリアル通信をするようになされる。当該ＣＰＵ２５は操作制御部２６の他にスキャナ制御部２６やプリンタ制御部４８等に接続されてシリアル通信をするようになされる。
【００５２】
この操作制御部２６にはＬＣＤ１６’が接続されており、操作部１４０で入力される操作情報Ｄ４に基づいてＪＯＢ履歴情報Ｄ２を表示するようになされる。このＬＣＤ１６’にはＪＯＢ履歴情報Ｄ２と共に相手方を示す転送先アドレスが表示される。このようにすると、転送予約した原稿の読み取り処理から相手方への転送処理に至る一連の処理が正常終了した場合に、転送予約した相手方の転送先アドレスをＬＣＤ１６’上で確認することができる。
【００５３】
上述の操作部１４０は図示しないタッチパネル及びＬＣＤ１６’を一体化して操作パネルを構成する。この操作部１４０には実施形態で説明した選択手段１３の機能を備えている。つまり、操作部１４０では、「原稿画像データＤ１を正常転送した旨」を示す情報内容を紙に形成し出力するか否かを予め選択するようになされる。操作部１４０はユーザによって操作される。スキャナＪＯＢを受け付ける際に、操作部１４０を使用してＬＣＤ１６’における操作画面上で紙出力機能を選択し又はこの機能を選択しないように設定される。
【００５４】
この例で操作部１４０によって紙出力機能に関して選択又は非選択操作すると、ＣＰＵ２５には「原稿画像データＤ１を正常転送した旨」を示す情報内容を紙に形成し出力する、又は、当該原稿画像報Ｄ１の転送に関して紙形成出力をしないという紙出力選択データＤ３が出力される。出力選択データＤ３は不揮発メモリ２７等に保持される。この紙出力選択データＤ３はＣＰＵ２５によって、予め紙出力選択フラグＦＧとして管理するようになされる。つまり、紙出力選択フラグがＦＧ＝「１」でスキャナＪＯＢ内容を紙出力する。また、紙出力選択フラグがＦＧ＝「０」でスキャナＪＯＢ内容を紙出力しない等を区分するようになされる。
【００５５】
また、この複合機２００ではＣＰＵ２５によって、プリンタ部１８０による画像形成に関して予め優先順位が定められた複数のジョブ命令が記録管理される。ＣＰＵ２５ではジョブ命令に従ってスキャナ部１１’、プリント＆スキャナコントローラ１２０及びプリンタ部１８０を駆動してジョブ命令を実行するようになされる。
【００５６】
この例では、複数ページを画像形成するジョブ命令がＣＰＵ２５によって実行中に、プリンタ部１８０を使用する割り込み要求が受け付けられた場合に、その実行中のジョブ命令を当該ページの区切りで一旦中断され、複数のジョブ命令の優先順位に基づいて他のジョブ命令が実行され、又は、当該ジョブ命令を引き続き実行するようになされる。
【００５７】
このＣＰＵ２５はスキャナ制御部２２、操作制御部２６、不揮発メモリ２７，ＤＲＡＭ制御用のＩＣ３２Ａ、プリンタ制御部４８に接続され、操作部１４０により入力された操作情報Ｄ４に基づいてこれらの入出力を制御する。例えば、ＣＰＵ２５はスキャナＪＯＢを実行する。スキャナＪＯＢとは任意の原稿を走査して原稿画像データＤ１を取得し、転送予約先の相手方へ当該原稿画像データＤ１を転送する処理をいう。
【００５８】
画像メモリ３３にはスキャナ部１１’から出力される原稿画像データＤ１や、操作部１４０から出力される紙出力選択データＤ３、操作部１４０から出力される操作情報Ｄ４等が記憶される。画像メモリ３３には不揮発性記憶装置、例えば、記憶保持動作付きのＲＡＭ等が使用される。この例で画像メモリ３３の他にハードディスク（ＨＤＤ）６２を備え、画像メモリ３３の記憶内容をバックアップするようにしてもよい。
【００５９】
ＣＰＵ２５では原稿画像データＤ１を転送した後に、不揮発メモリ２７に保持されている紙出力選択データＤ３に基づいて「当該原稿画像データＤ１を正常転送した旨」を示す情報内容を紙に形成し出力するようにプリンタ部１８０が制御される。このようにすると、ＣＰＵ２５では「予約受け付け時」のみに「原稿画像データＤ１を正常転送した旨」を示す情報内容の紙形成出力を実行することができる。スキャナＪＯＢが非予約状態で受け付けられた場合は、このような情報内容の紙形成出力を実施しないようにできる。
【００６０】
この情報内容には「原稿画像データＤ１を正常転送した旨」の他に、転送予約した原稿の読み取り処理から相手方への転送処理に至る一連の処理が正常終了したか否か、及び、当該一連の処理が異常終了した場合はその原因の記述が含まれる。また、情報内容に相手方を示す転送先アドレスを含めてもよい。
【００６１】
上述のＤＲＡＭ制御用のＩＣ３２Ａには伸長ＩＣ６３が接続されており、画像メモリ３３から、圧縮された原稿画像データを読み出して、そのデータを復号化して伸長したり、ＦＡＸ受信した原稿受信データを復号化して伸長するようになされる。上述の伸長後のデータはＣＰＵ２５のメモリ書込み制御を受けて一旦、画像メモリ３３のページメモリ３４に格納される。プリンタ部１８０へ画像形成データＤ５として出力するためである。
【００６２】
この伸長ＩＣ６３には書込み処理部６４が接続されており、伸長後の画像形成データＤ５に基づいてＰＷＭ変調等の処理を経てレーザ制御信号Ｓｏｕｔを出力するようになされる。書込み処理部６４には画像形成手段の一例となるプリンタ部１８０が接続されており、原稿画像データＤ１に係る画像、例えば、スキャナＪＯＢ内容をプリントアウトするようになされる。
【００６３】
画像形成手段１８には白黒用又はカラー用のプリンタを使用する。プリンタ部１８０はレーザ駆動部（ＬＤ）３８及びプリンタ制御部４８を有している。つまり、書込み処理部６４にはレーザダイオード（ＬＤ）を含むレーザ駆動部３８が接続され、レーザ制御信号Ｓｏｕｔに基づいてレーザ光を発生するようになされる。このレーザ光は図示しない感光体ドラム等に照射され、当該ドラムで潜像が形成され、この潜像がトナーによって現像される。現像後のトナー像は所望の用紙に転写されて定着された後に排紙される。
【００６４】
また、上述した制御装置１５のＤＲＡＭ制御用のＩＣ３２ＡにはＰＣＩバス２８を通じて転送手段の一例となるプリント＆スキャナコントローラ１２０が接続されている。プリント＆スキャナコントローラ１２０はＤＲＡＭ制御用のＩＣ３２Ｂ、通信コントローラ用のＣＰＵ３５、画像メモリ（ＤＲＡＭ）３６及びＬＡＮ用のインタフェース（Ｉ／Ｆ）３７を有している。プリント＆スキャナコントローラ１２０ではスキャナ部１１’により取得された原稿画像データＤ１を相手方の端末装置等へ転送するように制御される。
【００６５】
画像メモリ３６には相手方の端末装置等へ転送する、スキャナ部１１’により取得された原稿画像データＤ１をアップロードするようになされる。このアップロードによって相手方の端末装置等から当該複合機２００へいつでもダウンロードできる状態となる。この例では、このアップロードされた時点を相手方の端末装置等への転送を完了とするようにしている。
【００６６】
ＬＡＮインタフェース３７はＬＡＮ等の通信回線を通じてパーソナルコンピユータ（以下パソコンという）１０２等に接続され、そのパソコン１０２から送られてくる画像データを受け取ったり、また、スキャナ部１１’により取得された原稿画像データＤ１を指定先のＦＴＰサーバや、ｅ−ｍａｉｌサーバ等へ送信するようになされる。
【００６７】
この例で、ＰＣＩバス２８は制御装置１５とプリント＆スキャナコントローラ１２０との間を接続するようになされる。つまり、ＰＣＩバス２８はＤＲＡＭ制御用のＩＣ３２Ａ及び３２Ｂ間に接続され、プリント＆スキャナコントローラ１２０からディジタルコピア本体へ画像データの転送が可能となされている。
【００６８】
この画像メモリ３６に記憶される画像受信データ及びその画像メモリ３３から読み出される原稿画像データ（画像送信データ）Ｄ１はＤＲＡＭ制御用のＩＣ３２Ａ，３２Ｂによって調停が行われ、かつ、画像メモリ３３へのアクセス制御がなされる。この例では、複写機能とプリンタ機能とが競合したときは、プリンタ部１８０を優先的に複写機能に使用させ、プリント＆スキャナコントローラ１２０による画像受信データを画像メモリ３３に一時記憶するように、ＩＣ３２Ａ、３２Ｂによって調停される。
【００６９】
続いて、複合機２００の断面の構成例について説明する。図５は複合機２００の断面の構成例を示す概念図である。複合機２００は自動原稿給紙装置（ＲＡＤＦ）４０、画像読み取り部（プラテン用）５０及びプリンタ部１８０から構成される。自動原稿給紙装置４０は図５に示す原稿載置部４１、ローラ４２ａ、ローラ４２ｂ、ローラ４３、反転ローラ４４、反転部４５及び排紙皿４６を有している。
【００７０】
また、画像読み取り部５０は第１のプラテンガラス５１、第２のプラテンガラス５２、光源５３、ミラー５４、５５、５６、結像光学系５７、ＣＣＤ撮像装置５８及び図示しない光学駆動系を有している。プリンタ部１８０は感光体ドラム７１、帯電部７２、現像部７３、転写部７４、分離部７５、クリーニング部７６、搬送機構７７及び定着部７８を有している。
【００７１】
例えば、原稿載置部４１には原稿の第１頁目の表面を上にした状態で、複数枚の原稿２０が載置されている。そして、図示しないＡＤＦ制御部によってローラ４２ａ及びローラ４２ｂが駆動されると、これらのローラ４２ａ及びローラ４２ｂを介して繰り出された原稿２０の１枚目がローラ４３を介して搬送される。
【００７２】
このとき、図示しない読み取り制御部の制御を受けて、画像読み取り部５０の光源５３から原稿２０の画像面に光が照射される。この反射光はミラー５４，５５，５６によって案内され、その反射光が結像光学系５７を介してＣＣＤ撮像装置５８に取り込まれる。これにより、ＣＣＤ撮像装置５８の受光面に原稿２０の画像が結像される。
【００７３】
ここで、プラテンガラス５１上に原稿２０の読み取り面を下に向けた状態で、その原稿２０が原稿載置部４１に載置された場合には光学駆動系はプラテンガラス５１に沿って、画像読み取り部５０を走査することでＣＣＤ撮像装置５８に取り込まれる。そして、読み取られた原稿２０の画像取得信号ＳｉｎはＣＣＤ撮像装置２８から図４に示した読み取り処理部２３に転送される。読み取り処理部２３では画像取得信号Ｓｉｎをアナログ・デジタル変換した後の原稿画像データＤ１が圧縮ＩＣ２４に出力される。圧縮ＩＣ２４で圧縮された後にＤＲＡＭ制御用のＩＣ３２Ａの制御を受けて画像メモリ３３に格納される。
【００７４】
この画像メモリ３３は電源バックアップされており、瞬断などによって主電源がオフされても、原稿画像データＤ１をバックアップできるので、画像編集処理などのために読み込まれた貴重な原稿画像データＤ１の消失を防止できる。
【００７５】
なお、自動原稿給紙装置４０において、原稿２０が自動給紙される操作モードの場合には、ローラ４３の周囲を原稿２０が回るようになる。この場合にはプラテンガラス５２下に光源５３とミラー５４とが固定された状態で、原稿画像が画像読み取り部５０によって読み取られる。そして、原稿２０の第１頁目が読み取られると、今度は反転ローラ４４を介して再度、ローラ４３を用いた巻き取り操作が行われ、原稿裏面の画像が画像読み取り部５０で読み取られ、その画像取得信号Ｓｉｎが画像処理回路３５に出力される。
【００７６】
このようにして、表面と裏面の画像が読み取られた原稿２０は、再度反転ローラ４４で反転されて表面を下に向けた状態で、排紙皿４６に積載されていく。これと共に画像読み取り部５０で、読み取られた画像取得信号Ｓｉｎは読み取り処理部２３で、デジタルの原稿画像データＤ１に変換された後に、図４に示した画像メモリ３３に格納される。
【００７７】
一方、記録紙３０が積載されている給紙カセット３０ａ又は３０ｂから、記録紙３０が繰り出されてプリンタ部１８０に給送される。記録紙３０はその入り口のレジストローラ６１で同期が採られた後に感光体ドラム７１に、より近接する。
【００７８】
この状態で、プリンタ部１８０では例えば、「当該原稿画像データＤ１を正常転送した旨」を示す情報内容を記録紙３０に形成するようになされる。この情報内容には原稿画像データＤ１を正常転送した旨の他に、転送予約した原稿の読み取り処理から相手方への転送処理に至る一連の処理が正常終了したか否か、及び、当該一連の処理が異常終了した場合はその原因の記述が含まれる。
【００７９】
例えば、画像形成データＤ６の一例となるＪＯＢ確認データＤ６１が画像メモリ３３のページメモリ３４から読み出される。ＪＯＢ確認データＤ６１は予め準備された印刷項目に画像制御用のＣＰＵ２５の編集機能を利用して作成され、ＪＯＢ確認データＤ６１として画像形成手段１８に出力される。ここでは、ページメモリ３４から読み出されたＪＯＢ確認データＤ６１は伸長ＩＣ６３で復号化して伸長された後に、書き込み処理部６４に出力される。書き込み処理部６４内では、ＪＯＢ確認データＤ６１に応じたレーザ光がレーザダイオードから感光体ドラム７１上へ照射されるので、この感光体ドラム７１にスキャナＪＯＢ内容の静電潜像が形成される。この静電潜像は現像部７３で現像された後に、感光体ドラム７１上にトナー像として形成される。
【００８０】
このトナー像は感光体ドラム７１の下部に設けられた転写部７４によって記録紙３０に転写される。このとき、記録紙３０は感光体ドラム７１に吸着される。そして、感光体ドラム７１に吸着された記録紙３０は分離部７５によって感光体ドラム７１から分離される。その後、感光体ドラム７１から分離された記録紙３０は搬送機構７７を介して定着部７８に送出され、トナー像が熱と圧力とにより定着される。これにより、記録紙３０に「当該原稿画像データＤ１を正常転送した旨」を示すスキャナＪＯＢ内容が形成され、当該記録紙３０が排紙される。
【００８１】
続いて、操作部１４０について説明する。図６に示す操作パネル９００は操作部１４０の一例であり、一辺の角が丸みを帯びた長方形状を有しており、ユーザが操作し易いように、当該複合機２００の自動原稿給紙装置（図示せず）４０の手前付近の位置に取付けられている。
【００８２】
この操作パネル９００上には、少なくとも、表示部８７及びモードチェンジキー８９が取付けられている。この例では表示部８７には液晶表示ディスプレイ（ＬＣＤ１６’）が使用される。この他に表示部８７には、ＰＤＰ（Ｐｌａｓｍａ　Ｄｉｓｐｌａｙ　Ｐａｎｅｌ）、電界発光ダイオードなどの平面表示素子を使用してもよく、これらの表示装置は操作パネル９００のほぼ中央に配置される。表示部８７には、利用者の入力操作性を良くするために、タッチパネルが表示画面上に取付けられる。
【００８３】
この他に表示部８７の左側にはワンタッチダイヤル用の押しボタンスイッチ９０１がマトリクス状に配置され、ワンタッチ送信や同報通信などの特殊の通信モードを実行できるようになされている。表示部８７の右側にはモードチェンジキー８９が設けられ、例えば、モードチェンジキー８９の操作に応じて図７〜図９で説明する複写画面Ｐ１０、スキャナ画面Ｐ２０−１及びプリンタ画面Ｐ３０が順次、表示部８７にローテーション表示される。各々の画面Ｐ１０、Ｐ２０−１及びＰ３０で「予約リスト」のタグを選択すると図１０に示すような前ＪＯＢ確認画面Ｐ４０を表示するようになされる。
【００８４】
更に、表示部８７の右側にはモードチェンジキー８９の他に、数字の「１」〜「０」のテンキーや、チェックボタン９０３、ヘルプボタン９０４、アプリケーションボタン９０５、プログラムボタン９０６、リセットボタン９０７、ストップ／クリアボタン９０８、割り込みコピーボタン９０９、電源スイッチ９１０、スタートボタン９１１、紙出力選択ボタン９１２などが配置されている。「１」〜「３」のテンキーの配置領域上には２つの発光ダイオードＬＥＤ１、ＬＥＤ２が取付けられ、ファイルやエラーを区別するような表示をできるようになされている。
【００８５】
操作パネル９００では指定先へＦＴＰ／ｅ−ｍａｉｌといった転送方法を利用して転送する原稿画像データＤ１の転送予約を含み入力操作される。表示部８７には操作パネル９００で入力される操作情報Ｄ４に基づいてＪＯＢ履歴情報Ｄ２を表示するようになされる。この表示部８７にはＪＯＢ履歴情報Ｄ２と共に相手方を示す転送先アドレスが表示される。このようにすると、転送予約した原稿の読み取り処理から相手方への転送処理に至る一連の処理が正常終了した場合に、転送予約した相手方の転送先アドレスを表示部８７上で確認することができる。
【００８６】
上述の操作パネル９００には実施形態で説明した選択手段１３の一例となる紙出力選択ボタン９１２が備えられる。つまり、操作パネル９００では紙出力選択ボタン９１２の押下によって、「原稿画像データＤ１を正常転送した旨」を示すスキャナＪＯＢ内容をプリントアウトするか否かを予め選択するようになされる。スキャナＪＯＢを受け付ける際に、紙出力選択ボタン９１２を使用して表示部８７における操作画面上で紙出力機能を選択し又はこの機能を選択しないように設定される。
【００８７】
続いて、複写画面Ｐ１０について説明をする。図７に示す複写画面Ｐ１０には、「コピーできます」のメッセージが表示され、その他に、コピー設定、画質、予約リスト、原稿読込などのタグが同一画面上に表示される。この複写画面Ｐ１０で「予約リスト」のタグを選択すると図１０に示すような前ＪＯＢ確認画面Ｐ４０を表示するようになされる。
【００８８】
また、コピー設定画面には、「画面選択」、「コピー濃度」、「倍率」、「サイズ選択」などが表示される。「画面選択」では、原稿の記録スタイルが選択できるようになされている。この例では「ＲＡＤＦ」をタッチすると、原稿の自動読み取りモードが設定できるようになされている。また、「両面→両面」を押下すると、原稿の両面を記録紙の両面に記録するモードを選択することができ、「両面→片面」、「片面→両面」又は「片面→片面」を押下すると、その表示に対応したモードで原稿を記録紙に記録することができる。
【００８９】
「コピー濃度」では、画像データの記録時のコピー濃度（画像濃度ともいう）が任意に調整できるようになされている。この例では「任意１」又は「任意２」を選択できるようになされる。任意キーを選択した場合には、「白抜き三角」キー、「黒地三角」キー又は「普通」キーを押下することにより、コピー濃度が任意に調整できるようになる。因みに「白抜き三角」キーを押下すると、コピー濃度が淡くなる方向に設定され、「黒地三角」キーを押下すると、コピー濃度が濃くなる方向に設定される。これらのキー領域下には「自動」キーが設けられ、コピー濃度が自動調整されるようになされている。
【００９０】
「倍率」では、画像データの記録時の画像形成サイズが任意に設定できるようになされている。この例では倍率表示をする表示エリアが設けられる。その他に、独立、ズーム、固定及び等倍などモードキーが用意され、例えば、等倍モードキーをタッチすると表示エリアに「１．００」が表示されるようになされている。
【００９１】
「サイズ選択」では、記録紙のサイズが任意に設定できるようになされている。この例では多段給紙方式が採られるので、記録紙収納カセットのイメージ画面を表示する表示エリアが設けられる。記録紙給紙カセットは、例えば、５段用意され、第１段目にはＢ５サイズの記録紙が収納されていることが表示される。同様にして、第２段目にはＡ４Ｒサイズ、第３段目にはＡ４サイズ、第４段目にはＡ３サイズ、第５段目には予備のＡ４Ｒサイズの記録紙が収納されているイメージ画面が表示される。
【００９２】
これらのサイズ表示領域下には、自動サイズキーが設けられ、原稿サイズを検出して指定の変倍率から適切な記録紙カセットを選択して記録するモードを設定できる。また、特定の記録紙収納カセットを指定したときに、そのカセットに収納された記録紙のサイズ情報を検出して、与えられた画像データをその記録紙のサイズに合うように変倍して記録するモードを設定できるようになされている。
【００９３】
これにより、記録紙サイズ、原稿サイズの設定を簡単に行うことができる。なお、複写画面Ｐ１０内の右上側にはコピー枚数を計数する表示領域が設けられ、その下方領域には画像メモリの残量が％表示される。この例ではコピー枚数として「００１」が表示され、メモリ残量として「１００％」が表示されている。
【００９４】
続いて、スキャナ画面Ｐ２０−１について説明をする。図８Ａに示すスキャナ画面Ｐ２０−１には、「送信先を選んで下さい　手動でも入力することもできます」等のメッセージが表示される他に、「Ｅ−Ｍａｉｌ」、「ＨＤＤ」、「ＦＴＰ」といった転送方法を選択するボタンが設けられる。「ＨＤＤ」はハードディスク６２へのファイル転送である。何の転送方法が選択されているかは、画面上方右側にアイコン表示されている。この例ではＥ−Ｍａｉｌが選択されている。
【００９５】
この複合機２００でファイル転送の指定先が予め登録されている場合、Ｅ−Ｍａｉｌ選択時にはメールアドレス又は、その置き換え名称、ＨＤＤ選択時にはＢｏｘ　ＮＯ．又は、その置き換え名称、ＦＴＰ選択時にはサイトアドレス、又はその置き換え名称が画面中央部にボタン表示されている。これらの名称等のボタン表示はタッチパネル方式により選択可能となされている。スキャナ画面Ｐ２０−１には上下スクロールボタン、表題入力ボタン、検索ボタン、全項目表示ボタン、キャンセルボタン、「ＯＫ」ボタンＫ１が設けられている。画面中央右側には「送信先手動入力」ボタンＫ２が配置されている。
【００９６】
ファイル転送先の指定が登録されていない場合は、上述の「送信先手動入力」ボタンＫ２を押下することにより、送信先のメールアドレス等の入力が可能になされている。ファイル転送方法の選択及び、転送先の指定等を行った後は、「ＯＫ」ボタンＫ１を押下することによりスキャナ画面Ｐ２０−１が図８Ｂに示すスキャナＪＯＢ画面Ｐ２０−２に切り替わる。
【００９７】
このスキャナＪＯＢ画面Ｐ２０−２には「原稿読取りできます」のメッセージが表示される。指定先へ転送する原稿画像の読み込みが可能となっている状態を示している。この例ではＪＯＢ１０が空いている。画面中央部には読取り画像に対する原稿画像の読み込み設定及び画像形成条件が表示され、これらの選択が可能となされている。左側から、「ファイルフォーム」、「読み込みモード」、「読み込み濃度」、「倍率」、「読み込みサイズ」、「解像度」、「応用設定」が表示され、スキャナ機能の各設定項目が選択可能となされている。
【００９８】
ファイルフォームには「ＴＩＦＦ」、「ＰＤＦ」が表示され、読み込みモードには「両面」及び「片面」が表示される。読み込み濃度には濃度選択スケール、上下選択ボタン、「普通」ボタン、「自動」ボタンが表示される。倍率には、「１．００」、「ズーム」、「固定倍率」、「等倍」が表示される。読み込みサイズには「８．５×１１」、「サイズ設定」「自動」等が表示される。解像度には「６００ｄｐｉ」、「４００ｄｐｉ」、「３００ｄｐｉ」、「２００ｄｐｉ」が表示される。応用設定には「原稿設定」、「応用機能」、「自動画像回転解除」、「原稿読み込み」等が表示される。
【００９９】
この例では、ファイルフォームに関して「ＴＩＦＦ」が選択され、読み込みモードについては「片面」が選択され、読み込み濃度については「自動」が選択され、倍率については「等倍」が選択され、読み込みサイズについては「自動」が選択され、解像度については「４００ｄｐｉ」が選択され、応用設定については「原稿設定」が各々選択されている。これにより、スキャナＪＯＢ画面Ｐ２０−２でＪＯＢ１０にスキャナＪＯＢを予約することができる。
【０１００】
続いて、プリンタ画面Ｐ３０について説明をする。図９に示すプリンタ画面Ｐ３０はプリンタ基本待機画面である。そのプリンタ画面Ｐ３０には、「プリントできます」のメッセージが表示される。
【０１０１】
この例では、メッセージエリアには半角３３文字の２段で構成された「プリントできます」又は「イニシャル中です」がプリンタ初期化中に表示される。プリント可能状態では、「プリントできます」のみが表示される。その他に、プリンタ画面Ｐ３０には「イニシャル」のアイコン領域、「プリンタ」、「強制排紙」、「予約リスト」、「設定」などの選択キーが表示される。
【０１０２】
「イニシャル」は当該プリンタの状態を示すアイコン領域であり、プリンタが初期化中であることを示すアイコンである。「プリント」のアイコン画面ではプリント中を示したり、「待機中」のアイコン画面でプリント可能状態を示す。その他、「エラー発生」を示すアイコンも準備されている。これらのアイコンには下位階層のアイコンが準備されている。
【０１０３】
例えば、当該プリンタの装置状態のアイコンとしては、図示しないスパナを象ったサービスマンコールの図柄や、トナー現像部を象ったトナー補給の図柄が準備されている。その他に、アウトプットのアイコンとしては、図示しない複数枚の記録紙を象ったグループの図柄や、ソート、フェイスアップの図柄が準備され、ステイプルアイコンとして、記録紙のステイプル箇所を示す図柄が準備されている。アイコンはプリンタ機能と複写機能とで共通である。
【０１０４】
「強制排紙」は記録紙をプリンタから強制的に排出するときに使用するタグ、「予約リスト」は複写機能、スキャナ機能又はプリンタ機能などのジョブ動作を確認する時に使用するタグである。このプリンタ画面Ｐ３０で「予約リスト」のタグを選択すると図１０に示すような前ＪＯＢ確認画面Ｐ４０を表示するようになされる。
【０１０５】
この例では、「予約リスト」のタグによってジョブの強制終了、優先度の切替えを行うことができる。また、記録予測時間を分単位で表示される。「設定」はコントローラから諸事項を設定する場合や動作条件の登録を行うときに使用するタグである。この例では、「設定」のタグによってテストプリントを行うことができる。
【０１０６】
また、これらの下方領域には当該複合機１００のイメージ画面が表示され、その周辺の四隅にはパソコンのイメージ画面がそれぞれ表示され、ホストパソコンからデータを受信中には、あたかも、該当するパソコンから画像データが複合機１００に転送されているように三日月状のイメージ矢印が点滅表示するようになされている。なお、プリンタ画面Ｐ３０内の右上側にはプリント枚数を計数する表示領域が設けられ、その下方領域には画像メモリの残量が％表示されるようになされている。
【０１０７】
続いて、前ＪＯＢ確認画面Ｐ４０について説明をする。図１０に示す前ＪＯＢ確認画面Ｐ４０は、操作パネル９００で「予約リスト」のタグの選択操作によってＪＯＢ履歴情報Ｄ２が不揮発メモリ２７等から読み出され、このＪＯＢ履歴情報Ｄ２に基づいて表示するようになされる。この前ＪＯＢ確認画面Ｐ４０にはＪＯＢ履歴情報Ｄ２と共に相手方を示す転送先アドレスが表示される。
【０１０８】
つまり、前ＪＯＢ確認画面Ｐ４０はスキャン予約ＪＯＢを含む各種ＪＯＢに係る確認画面であり、予約ＪＯＢに係るシリアル番号、当該複合機２００の機能動作に係るモード、その動作状態、転送ページ枚数、プリントアウトの出力枚数及び、原稿画像データＤ１の出力先等が表示項目として挙げられている。
【０１０９】
この例では、Ｎｏ２２の予約ＪＯＢとして、コピーモードでその動作が「Ｃｏｍｐｌｅｔｅ」状態、ページ枚数が「１」、出力枚数が「５」、出力先は「排紙トレイ（ＯｕｔＰｕｔ　Ｔｒａｙ）」が表示される。Ｎｏ２３の予約ＪＯＢとして、スキャナモードでその動作が「Ｃｏｍｐｌｅｔｅ」状態、ページ枚数が「１０」、出力枚数が「１０」出力先は「ＸＸＸ＠ＸＸＸ．ｎｅ．ｊｐ」が表示される。
【０１１０】
また、Ｎｏ２４の予約ＪＯＢとして、プリントモードでその動作が「Ｃｏｍｐｌｅｔｅ」状態、ページ枚数は「２０」、出力枚数が「１００」、出力先は「ＯｕｔＰｕｔ　Ｔｒａｙ」が表示される。Ｎｏ２５の予約ＪＯＢとして、スキャナモードでその動作が「Ｃｏｍｐｌｅｔｅ」状態、ページ枚数が「４」、出力枚数が「４」、出力先は「ｆｔｐ：／／ＸＸＸ／ＸＸＸ／ＸＸＸ」というように表示される。このようにすると、転送予約した原稿の読み取り処理から相手方への転送処理に至る一連の処理が正常終了した場合に、転送予約した相手方の転送先アドレスを表示部８７上で確認することができる。
【０１１１】
続いて、正常転送情報内容の一例となるスキャナＪＯＢ内容について説明をする。図１１に示すスキャナＪＯＢ内容によれば、予約ＪＯＢに係るシリアル番号、ユーザＩＤ、終了情報、転送終了時刻、転送所用時間、プリント時刻、原稿画像データＤ１の転送先、画像枚数、画像サイズ、解像度等が記録紙３０に印刷項目として記録（形成）される。これらの印刷項目は画像制御用のＣＰＵ２５の編集機能を利用して作成され、ＪＯＢ確認データＤ６１として画像形成手段１８に出力される。
【０１１２】
この例でＮｏ２５の予約ＪＯＢに関して、ユーザＩＤが「Ｔａｒｏｈ」、終了情報が「Ｃｏｍｐｌｅｔｅ」、転送終了時刻が「’０２／０２／２１　１３：５６」、転送所要時間が「３０’’」、プリント時刻が「’０２／０２／２１　１３：５７」、原稿画像データＤ１の転送先が「ＸＸＸ＠ＸＸＸ．ｎｅ．ｊｐ」、画像枚数が「４」、画像サイズが「Ａ４」、解像度が「４００ｄｐｉ」・・・・というような内容が記録紙３０に印字される。終了情報に関してはエラーの場合は、エラー情報を印字するようになされる。また、転送先に関してはＨＤＤ６２に保存されている場合は、ディレクトリを印字し、ＦＴＰ（Ｆｉｌｅ　Ｔｒａｎｓｆｅｒ　Ｐｒｏｔｏｃｏｌ）サイトの場合はサイトアドレスを印字するようになされる。
【０１１３】
このようにすると、スキャン予約ＪＯＢが終了したか否かを記録紙３０上で確認することができる。これにより、これらのスキャン予約ＪＯＢを終了したか否かをリアルタイムに操作画面上でその終了を待って確認したり、予約ＪＯＢ履歴等を操作画面上にわざわざ引き出して表示しそれを見直すといった処理が不要になる。
【０１１４】
従って、予約ＪＯＢ確認に係る手間を大幅に省くことができる。なお、当該スキャナＪＯＢ内容の紙出力機能については、使用状況下において、当該複合機２００から離れる必要がない場合や、また、資源の無駄と考えるユーザのために選択肢を用意して対処している。
【０１１５】
続いて、本発明に係る情報処理方法について当該複合機２００の処理例について説明をする。図１２及び図１３は複合機２００における処理例（その１及び２）を示すフローチャートである。
【０１１６】
この実施例では任意の原稿を読み取って指定先へＦＴＰ／ｅ−ｍａｉｌといった転送方法を利用して転送する原稿画像データＤ１に関連した情報を処理する場合を前提とする。また、「原稿画像データＤ１を正常転送した旨」を示すスキャナＪＯＢ内容を記録紙３０に形成し出力するか否かを予め選択する場合を例に採る。このスキャナＪＯＢ内容には相手方を示す転送先アドレスが含まれる場合を前提とする。
【０１１７】
これら処理条件にして図２に示すフローチャートのステップＢ１で相手方の転送する原稿に係る原稿画像データＤ１の転送予約が待機される。この原稿画像データＤ１の転送予約を受け付ける場合はステップＢ２に移行する。ステップＢ２ではスキャン条件等が設定される。
【０１１８】
このとき、ユーザは操作パネル９００を使用して当該原稿画像データＤ１のスキャン条件等が設定される。ここで設定されるスキャン条件等は操作情報Ｄ４となる。ＣＰＵ２５では操作パネル９００による操作情報Ｄ４に基づいてスキャナ部１１’、プリント＆スキャナコントローラ１２０及びプリンタ部１８０の入出力を制御するようになされる。
【０１１９】
そして、ステップＢ３に移行してＣＰＵ２５ではスキャナＪＯＢ内容の紙出力が選択されたかをチェックされる。このとき、ユーザは操作パネル９００を使用して「原稿画像データＤ１を正常転送した旨」を示すスキャナＪＯＢ内容の紙出力を要求する場合は、当該スキャナＪＯＢ内容の紙出力を選択する。この紙出力選択によって紙出力選択データＤ３に関して紙出力選択フラグＦＧに「１」が立てられる。この紙出力を選択しない場合は、紙出力選択データＤ３に関して紙出力選択フラグＦＧに「０」が立てられる。紙出力選択フラグＦＧは不揮発メモリ２７に記憶されるので、電源を切ってもその内容が消滅（削除）されない。
【０１２０】
従って、この紙出力が選択されない場合は、紙出力選択フラグＦＧ＝「０」としてステップＢ５に移行する。この紙出力が選択された場合は、紙出力選択フラグＦＧ＝「１」としてステップＢ４に移行し。この紙出力選択データＤ３を不揮発メモリ２７等に保持する。原稿画像データＤ１の転送後に紙出力選択データＤ３に基づく画像形成制御をするためである。そして、ステップＢ５に移行する。ステップＢ５では先に受け付けられた転送予約に係る原稿を読み取るべく、スキャン動作を開始する。このとき、スキャナ部１１’では操作パネル９００により予約された原稿をＲＡＤＦ４０で読み取って原稿画像データＤ１を取得するようになされる。
【０１２１】
その後、ステップＢ６でスキャン動作を終了すると共に、原稿画像データＤ１が画像メモリ３３に一時記録される。そして、ステップＢ７に移行する。このステップＢ７では前ＪＯＢは存在するかがＣＰＵ２５によってチェックされる。この際のチェックではＣＰＵ２５によってＪＯＢ管理リスト等が参照される。割り込みに係るコピー処理等が有る場合には、ステップＢ８に移行して予約に係る原稿転送に優先してそのコピー処理を実行する。その後、ステップＢ９に移行する。
【０１２２】
ステップＢ９では先に取得された原稿画像データＤ１を指定先へＦＴＰ／ｅ−ｍａｉｌといった転送方法を利用して転送すべく画像メモリ３６へアップロードを開始する。このとき、プリント＆スキャナコントローラ１２０ではＤＲＡＭ制御用のＩＣ３２Ａ及び３２Ｂの調停を受けて、画像メモリ３３から原稿画像データＤ１を読み出して画像メモリ３６へアップロードするようになされる。その後、ステップＢ１０で原稿画像データＤ１のアップロードを終了する。
【０１２３】
この原稿画像データＤ１の転送に関しては、実際に通信回線を通じて相手方へ原稿画像データＤ１を転送する場合、相手方の端末装置と当該複写機２００の間の通信回線が混在している場合が想定されるので、当該原稿画像データＤ１をいつでもダウンロード可能な状態、すなわち、プリント＆スキャナコントローラ１２０内の画像メモリ３６にアップロードを完了した時点を以て相手方へ原稿画像データＤ１を転送した旨の後処理がなされる。
【０１２４】
この例で原稿画像データＤ１を転送した後、ステップＢ１１に移行する。ステップＢ１１では「当該原稿画像データＤ１を正常転送した旨」を示すスキャナＪＯＢ内容を紙出力するかがチェックされる。この際のチェックでは不揮発メモリ２７から紙出力選択データＤ３が読み出され、その紙出力選択フラグＦＧとその基準値とを比較処理することにより判別される。このとき、紙出力選択データＤ３に関して紙出力選択フラグＦＧを参照して、ＦＧ＝「１」で「スキャナＪＯＢ内容を紙出力する旨」を判別できる。また、紙出力選択フラグＦＧが「０」の場合は、「スキャナＪＯＢ内容を紙出力しない旨」を判別することができる。
【０１２５】
従って、紙出力選択データＤ３の内容に基づき、ＦＧ＝１の場合はステップＢ１０に移行する。ステップＢ１０では記録紙３０に印刷すべきスキャナＪＯＢ内容を作成するようになされる。スキャナＪＯＢ内容はＣＰＵ２５によって作成される。例えば、画像メモリ３３等からＪＯＢ管理情報を読み出し、図１１に示した、当該予約ＪＯＢに係るシリアル番号のユーザＩＤ、終了情報、転送終了時刻、転送所用時間、プリント時刻、原稿画像データＤ１の転送先、画像枚数、画像サイズ、解像度等の情報を集め、記録紙３０に記録すべき印刷項目を抽出し編集する。これにより、スキャナＪＯＢ内容が作成され、この情報内容が画像形成データＤ６となる。
【０１２６】
そして、ステップＢ１３に移行して画像形成データＤ６に基づいてプリント動作を開始する。このとき、プリンタ部１８０では予約ＪＯＢに係るシリアル番号、ユーザＩＤ、終了情報、転送終了時刻、転送所用時間、プリント時刻、原稿画像データＤ１の転送先、画像枚数、画像サイズ、解像度等を印刷項目として記録紙３０にスキャナＪＯＢ内容が記録（形成）される。
【０１２７】
なお、スキャナＪＯＢ内容には原稿画像データＤ１を正常転送した旨の他に、転送予約した原稿の読み取り処理から相手方への転送処理に至る一連の処理が正常終了したか否か、及び、当該一連の処理が異常終了した場合はその原因を記録するようになされる。そして、ステップＢ１４でプリント動作を終了すると、ステップＢ１５に移行して記録紙３０を排紙するようになされる。
【０１２８】
また、ステップＢ１１で当該情報内容を紙出力しない場合は、当該情報内容を紙出力することなく、ステップＢ１６に移行する。ステップＢ１６ではＣＰＵ２５によって終了判断がなされる。このとき、ＣＰＵ２５では電源オフ情報や、スタンバイ情報等を検出して当該スキャナＪＯＢを終了する。これらの電源オフ情報や、スタンバイ情報等を検出されない場合はステップＢ１に戻って上述した処理を繰り返すようになされる。
【０１２９】
このように、本発明に係る実施例としてのディジタル複合機２００及び情報処理方法によれば、任意の原稿画像データＤ１を指定先へＦＴＰ／ｅ−ｍａｉｌといった転送方法を利用して予約転送する場合に、ＣＰＵ２５ではスキャナＪＯＢ内容の紙出力の選択有無がチェックされる。そして、ＣＰＵ２５では原稿画像データＤ１を転送した後に、紙出力選択データＤ３に基づく紙出力選択フラグがＦＧ＝１の場合に、スキャナＪＯＢ内容を記録紙３０に形成し出力するようにプリンタ部１８０を制御するようになされる。
【０１３０】
従って、スキャナＪＯＢの転送処理をリアルタイムにできない状況下において、そのスキャン予約ＪＯＢが終了したか否かを記録紙３０上で確認することができる。これにより、これらのスキャン予約ＪＯＢを終了したか否かをリアルタイムに操作パネル９００の表示画面上でその終了を待って確認したり、予約ＪＯＢ履歴等を操作画面上にわざわざ引き出して表示しそれを見直すといった処理が不要になる。
【０１３１】
換言すると、当該複合機２００の近傍にいなくても、スキャン予約ＪＯＢが正常に終了したかどうかをプリントアウトされ残されている記録紙３０で、コピア感覚でＪＯＢの終了を見極めることが可能となった。
【０１３２】
また、操作パネル９００上でスキャナＪＯＢ内容の紙出力機能の選択又は非選択を設定し、この設定に基づく不揮発性メモリ２７内の紙出力選択フラグＦＧに基づいて紙出力をスイッチできるので、スキャナＪＯＢ内容の紙出力機能をケース・バイ・ケースによって使い分けることが可能となった。従って、スキャン予約ＪＯＢの確認に係る手間を大幅に省くことができる。
【０１３３】
この実施例では画像形成装置に関して白黒の複合機２００について説明したがこれに限られることはなく、もちろん、カラー用の複合機等においても同様な効果が得られる。
【０１３４】
【発明の効果】
以上説明したように、本発明に係る画像形成装置によれば、任意の原稿を読み取って指定先へＦＴＰ／ｅ−ｍａｉｌといった転送方法を利用して転送する原稿画像情報に関連した画像を形成する場合に、操作情報に基づいて原稿読取手段、転送手段及び画像形成手段の入出力を制御する制御装置を備え、この制御装置は原稿画像情報を転送した後に当該原稿画像情報を正常転送した旨を示す情報内容を紙に形成し出力するように画像形成手段を制御するものである。
【０１３５】
この構成によって、転送予約した原稿の読み取り処理から相手方への転送処理に至る一連の処理が終了したか否かを紙面上で確認することができる。従って、これらの一連の処理を終了したか否かをリアルタイムに操作画面上でその終了を待って確認したり、予約ＪＯＢ履歴等を操作画面上にわざわざ引き出して表示しそれを見直すといった処理が不要になる。これにより、予約ＪＯＢ確認に係る手間を大幅に省くことができる。
【０１３６】
本発明に係る情報処理方法によれば、任意の原稿を読み取って指定先へＦＴＰ／ｅ−ｍａｉｌといった転送方法を利用して転送する原稿画像情報に関連した情報を処理する際に、原稿に係る画像情報の転送予約を受け付け、ここで受け付けられた転送予約に係る原稿を読み取って原稿画像情報を取得し、ここで取得された原稿画像情報を転送し、この原稿画像情報を転送した後に「当該原稿画像情報を正常転送した旨」を示す情報内容を紙に形成し出力するようになされる。
【０１３７】
この構成によって、転送予約した原稿の読み取り処理から相手方への転送処理に至る一連の処理が終了したか否かを紙面上で確認することができる。従って、これらの一連の処理を終了したか否かをリアルタイムに操作画面上でその終了を待って確認したり、予約ＪＯＢ履歴等を操作画面上にわざわざ引き出して表示しそれを見直すといった処理が不要になる。これにより、予約ＪＯＢ確認に係る手間を大幅に省くことができる。
【０１３８】
この発明は、複写機能、スキャナ機能及びプリンタ機能を備えた白黒及びカラー用のディジタル複合機に適用して極めて好適である。
【図面の簡単な説明】
【図１】本発明の実施形態としての画像形成装置１００の構成例を示すブロック図である。
【図２】画像形成装置１００における処理例を示すフローチャートである。
【図３】本発明に係る実施例としての画像形成装置を応用したディジタル複合機２００の機能例を説明する概念図である。
【図４】ディジタル複合機２００の制御系の構成例を示すブロック図である。
【図５】ディジタル複合機２００の断面の構成例を示す概念図である。
【図６】ディジタル複合機２００の操作パネル９００の構成例を示す上から見た図である。
【図７】複写画面Ｐ１０の表示例を示すイメージ図である。
【図８】Ａ及びＢはスキャナ画面Ｐ２０−１等の表示例を示すイメージ図である。
【図９】プリンタ画面Ｐ３０の表示例を示すイメージ図である。
【図１０】前ＪＯＢ確認画面Ｐ４０の表示例を示すイメージ図である。
【図１１】スキャナＪＯＢ内容の紙出力例を示すイメージ図である。
【図１２】ディジタル複合機２００における処理例（その１）を示すフローチャートである。
【図１３】ディジタル複合機２００における処理例（その２）を示すフローチャートである。
【符号の説明】
１１　原稿読取手段
１１’　スキャナ部
１２　転送手段
１３　選択手段
１４　操作手段
１５　制御装置
１６　表示手段
１７　記憶手段
１８　画像形成手段
２５，３５　ＣＰＵ
２７　不揮発メモリ（記憶手段）
１００　画像形成装置
１１０　ディジタルコピア部
１２０　プリント＆スキャナコントローラ（転送手段）
１４０　操作部
１８０　プリンタ部（画像形成手段）
２００　ディジタル複合機
【図１】
2004040228.tif 000003
【図２】
2004040228.tif 000004
【図３】
2004040228.tif 000005
【図４】
2004040228.tif 000006
【図５】
2004040228.tif 000007
【図６】
2004040228.tif 000008
【図７】
2004040228.tif 000009
【図８】
2004040228.tif 000010
【図９】
2004040228.tif 000011
【図１０】
2004040228.tif 000012
【図１１】
2004040228.tif 000013
【図１２】
2004040228.tif 000014
【図１３】
2004040228.tif 000015